(57)【要約】【課題】登録指紋との比較による任意の指との指紋認証の認証時間を短縮化する。【解決手段】個人認証用の指紋認証システムに、指紋データを検出する指紋読取り部110と、検出された複数の指の各々の登録指紋として複数の指紋データを登録する指紋登録データ部112と、検出された指紋データと登録された指紋データの照合を行う指紋照合部111と、複数の指の各々の登録指紋、各登録指紋に対する複数の指紋データについて照合成功回数と、照合成功回数の多い順番に認証を行う照合順番を保存する照合成功回数データ部114と、検出された指紋データを、照合成功回数データ部から登録指紋の照合順番と登録指紋に対する指紋データの照合順番に基づき指紋登録データ部から取り出した指紋データで認証し一致した場合には保存された登録指紋の照合成功回数、照合順番を更新し登録指紋に対する指紋データの照合成功回数、照合順番を更新する動作制御部113とを備える。【選択図】図１
2008242954.tif 000002
【特許請求の範囲】
【請求項１】
個人認証用の指紋認証システムにおいて、
置かれた指の指紋データを検出する指紋読取り部と、
前記指紋読取り部により複数の指の各々の登録指紋として複数の指紋データを検出して登録する指紋登録データ部と、
前記指紋読取り部により検出された指紋データと前記指紋登録データ部に登録された指紋データとの比較・照合を行う指紋照合部と、
複数の指の各々の登録指紋について照合成功回数、照合成功回数の多い順番に認証を行う照合順番を保存し、さらに、各登録指紋に対する複数の指紋データについて照合成功回数と、照合成功回数の多い順番に認証を行う照合順番を保存する照合成功回数データ部と、
前記指紋読取り部により検出された指紋データと、前記照合成功回数データ部から登録指紋の照合順番と、登録指紋に対する指紋データの照合順番に基づき前記指紋登録データ部から取り出した指紋データを認証し、一致した場合には、前記照合成功回数データ部に保存された登録指紋の照合成功回数、照合順番を更新し、登録指紋に対する指紋データの照合成功回数、照合順番を更新する動作制御部とを備えることを特徴とする個人認証用の指紋認証システム。
【請求項２】
前記指紋登録データ部に登録指紋に対する指紋データが追加登録される場合、前記照合成功回数データ部に追加登録される登録指紋と同様に、既に登録されている登録指紋の照合成功回数をリセットして「０」に、既に登録されている登録指紋の照合順番について最初の認証時には変更しないで、追加登録の登録指紋の照合順番は既に登録されている登録指紋の最後又は最初にすることを特徴とする、請求項１に記載の個人認証用の指紋認証システム。
【請求項３】
個人認証用の指紋認証方法において、
複数の指の各々の登録指紋として複数の指紋データを検出する工程と、
検出された複数の指の各々の登録指紋として複数の指紋データを登録する工程と、
検出された指紋データと登録された指紋データとの比較・照合を行う工程と、
複数の指の各々の登録指紋について照合成功回数、照合成功回数の多い順番に認証を行う照合順番を保存し、さらに、各登録指紋に対する複数の指紋データについて照合成功回数と、照合成功回数の多い順番に認証を行う照合順番を保存する工程と、
検出された指紋データと、登録指紋の照合順番と、登録指紋に対する指紋データの照合順番に基づき取り出した指紋データを認証し、一致した場合には、保存された登録指紋の照合成功回数、照合順番を更新し、登録指紋に対する指紋データの照合成功回数、照合順番を更新する工程とを備えることを特徴とする個人認証用の指紋認証方法。
【請求項４】
個人認証用の指紋認証を実行するプログラムにおいて、
複数の指の各々の登録指紋として複数の指紋データを検出する手順と、
検出された複数の指の各々の登録指紋として複数の指紋データを登録する手順と、
検出された指紋データと登録された指紋データとの比較・照合を行う手順と、
複数の指の各々の登録指紋について照合成功回数、照合成功回数の多い順番に認証を行う照合順番を保存し、さらに、各登録指紋に対する複数の指紋データについて照合成功回数と、照合成功回数の多い順番に認証を行う照合順番を保存する手順と、
検出された指紋データと、登録指紋の照合順番と、登録指紋に対する指紋データの照合順番に基づき取り出した指紋データを認証し、一致した場合には、保存された登録指紋の照合成功回数、照合順番を更新し、登録指紋に対する指紋データの照合成功回数、照合順番を更新する手順とを備えることを特徴とする、個人認証用の指紋認証を実行するプログラム。
【請求項５】
個人認証用のバイオメトリクス認証システムにおいて、
声紋、顔、アイリス（虹彩）、静脈を含むバイオメトリクスデータを検出する読取り部と、
前記読取り部により複数の声紋、顔、アイリス（虹彩）、静脈の各々の登録バイオメトリクス複数のバイオメトリクスデータを検出して登録するバイオメトリクス登録データ部と、
前記読取り部により検出されたバイオメトリクスデータと前記バイオメトリクス登録データ部に登録されたバイオメトリクスデータとの比較・照合を行うバイオメトリクス照合部と、
複数の声紋、顔、アイリス（虹彩）、静脈の各々の登録バイオメトリクスについて照合成功回数、照合成功回数の多い順番に認証を行う照合順番を保存し、さらに、各登録バイオメトリクスに対する複数のバイオメトリクスデータについて照合成功回数と、照合成功回数の多い順番に認証を行う照合順番を保存する照合成功回数データ部と、
前記読取り部により検出されたバイオメトリクスデータと、前記照合成功回数データ部から登録指紋の照合順番と、登録バイオメトリクスに対するバイオメトリクスデータの照合順番に基づき前記バイオメトリクス登録データ部から取り出したバイオメトリクスデータを認証し、一致した場合には、前記照合成功回数データ部に保存された登録バイオメトリクスの照合成功回数、照合順番を更新し、登録バイオメトリクスに対するバイオメトリクスデータの照合成功回数、照合順番を更新する動作制御部とを備えることを特徴とする個人認証用のバイオメトリクス認証システム。
【請求項６】
個人認証用の指紋認証を行う携帯電話端末において、
置かれた指の指紋データを検出する指紋読取り部と、
前記指紋読取り部により複数の指の各々の登録指紋として複数の指紋データを検出して登録する指紋登録データ部と、
前記指紋読取り部により検出された指紋データと前記指紋登録データ部に登録された指紋データとの比較・照合を行う指紋照合部と、
複数の指の各々の登録指紋について照合成功回数、照合成功回数の多い順番に認証を行う照合順番を保存し、さらに、各登録指紋に対する複数の指紋データについて照合成功回数と、照合成功回数の多い順番に認証を行う照合順番を保存する照合成功回数データ部と、
前記指紋読取り部により検出された指紋データと、前記照合成功回数データ部から登録指紋の照合順番と、登録指紋に対する指紋データの照合順番に基づき前記指紋登録データ部から取り出した指紋データを認証し、一致した場合には、前記照合成功回数データ部に保存された登録指紋の照合成功回数、照合順番を更新し、登録指紋に対する指紋データの照合成功回数、照合順番を更新する動作制御部とを備えることを特徴とする携帯電話端末。
【発明の詳細な説明】
【技術分野】
【０００１】
本発明は個人認証用の指紋認証システムに関する。特に、本発明は、複数の指紋の認証時間の短縮を可能とする個人認証用の指紋認識システム、方法、プログラム、個人認証用のバイオメトリクス認証システム及び携帯電話端末に関する。
【背景技術】
【０００２】
近年、携帯電話が急速に普及し、電子商取引で今後、携帯電話により商品を購入し、決済することが予測されている。
そのため携帯電話で決済するための個人認証機能が求められる。
この認証機能として、種々の技術方式がある。例えばパスワードを入力して認証する技術、生体の特徴を用いるバイオメトリクス認証技術がある。パスワードなどの個人の知識を用いた認証技術では、操作が容易であるが、忘れ易く、また盗まれ易いなどの課題がある。
【０００３】
とくに高い認証精度を実現する場合桁数が増え、非常に使い勝手が悪くなる。
一方、指紋、声紋、顔、アイリス（光彩）などの生体固有の特徴を利用したバイオメトリクス認証技術は、紛失せず、他人には盗まれにくく、また忘れることがない特徴を有している。
これらの認証システムのうち、価格、サイズ、認証精度の観点から、指紋認証が有望視されている認証方式である。
【０００４】
本発明の前提となる指紋の認証方式は、既に指紋登録されている指紋データ全てと、以下のように、比較・照合を行い、任意の指で指紋認証を可能とするものである。
一例として、両手のｍ本（ｍ＝１０：最大）の指の指紋が登録指紋１、２、…、ｍとして登録される。複数の登録指紋とするのは、一般的に、登録指紋の指がケガ、傷、指荒れ等で適切に指紋画像が得られず指紋が読めず、照合できない場合の代替指紋として想定するためである。
【０００５】
さらに、各登録指紋では、指紋データが１つの場合には、偶然入力ミス等で適切に指紋画像が得られず照合が失敗するケースが起き得る。
そのため、同じ指紋に対して複数の指紋画像データをとっておくことにより、そのような失敗をさけるようにしている。なお、一般的に最初の指紋データに問題がなければ、照合がＯＫとなる可能性は高い。
【０００６】
登録指紋１、２、…、ｍの各々に対して複数の指紋データ（ｎ個）保存されている場合の照合手順を以下に説明する。
図１０は、従来の、照合時の指紋と複数の登録指紋データとの具体的な照合手順を説明する図である。本図に示すように、照合時の指紋と複数の登録指紋の指紋データとの照合点順では、照合時の指紋は、最初に登録指紋１の指紋データ１１と照合され、不一致（ＮＧ）ならば指紋データ１２と照合し、また、不一致（ＮＧ）ならば、指紋データ１３と順次に照合していく。
【０００７】
もし登録指紋１の全ての指紋データと照合できない場合、次に登録指紋２の指紋データ２１、２２…と同じく照合していく。
このように照合できるまで、各登録指紋の指紋データと照合していく。
例えば、両手の１０本（＝ｍ）の指の指紋が登録されている場合、１本目の登録指紋に該当する指紋を入力照合した場合は、最初の登録指紋の１枚目の指紋データで照合されるため、認証時間は殆ど問題とならない。
【０００８】
しかしながら、１本目の登録指紋に該当しない１０本目の登録指紋に該当する指紋を入力照合した場合は、仮に各登録指紋に５個（＝ｎ）の指紋データがある場合、９本目までは照合できないため、１０本目登録指紋の１枚目の指紋データまで最短の４６回目の照合で照合ＯＫとなり、非常に認証時間を要するという問題がある。
以上では登録指紋について登録された順番に照合を行ったが、逆の順番に行っても同様の問題がある。
【０００９】
さらに、特定の登録指紋が照合用に頻繁に使用され、特定の登録指紋が読めない場合の緊急時用の登録指紋が設けられるが、各登録指紋では照合される頻度により偏りが出てくるので、緊急時の登録指紋が殆ど使用されないという問題がある。
したがって、本発明の前提となる、複数の指の登録指紋として、同じ指に対して複数の指紋画像データを登録し、登録指紋との比較による任意の指との指紋認証では、認証時間を短縮化するべきという課題がある。
【００１０】
従来、生体データ照合装置において、入力された照合対象データの照合に要する処理量を削減するため、入力された生体データと予め記憶している複数の参照用データとの照合判定において、一致した頻度が高い順に参照用データを順次参照して照合判定を行うものがある（例えば、特許文献１参照）。
しかしながら、上記特許文献１では、一致した頻度が高い順に参照用データを順次参照して照合判定を行い、照合処理の時間を短縮化するが、複数の指の登録指紋として、同じ指に対して複数の指紋画像データを登録し、登録指紋との比較による任意の指との指紋認証の認証時間を短縮化するものではない。
【００１１】
【特許文献１】特開２００６−１８６７６号公報
【発明の開示】
【発明が解決しようとする課題】
【００１２】
したがって、本発明は上記問題点に鑑みて、複数の指の登録指紋として、同じ指に対して複数の指紋画像データを登録し、登録指紋との比較による任意の指との指紋認証の認証時間を短縮化する個人認証用の指紋認識システム、方法、プログラム、個人認証用のバイオメトリクス認証システム及び携帯電話端末を提供することを目的とする。
【課題を解決するための手段】
【００１３】
本発明は前記問題点を解決するために、個人認証用の指紋認証システムにおいて、置かれた指の指紋データを検出する指紋読取り部と、前記指紋読取り部により複数の指の各々の登録指紋として複数の指紋データを検出して登録する指紋登録データ部と、前記指紋読取り部により検出された指紋データと前記指紋登録データ部に登録された指紋データとの比較・照合を行う指紋照合部と、複数の指の各々の登録指紋について照合成功回数、照合成功回数の多い順番に認証を行う照合順番を保存し、さらに、各登録指紋に対する複数の指紋データについて照合成功回数と、照合成功回数の多い順番に認証を行う照合順番を保存する照合成功回数データ部と、前記指紋読取り部により検出された指紋データと、前記照合成功回数データ部から登録指紋の照合順番と、登録指紋に対する指紋データの照合順番に基づき前記指紋登録データ部から取り出した指紋データを認証し、一致した場合には、前記照合成功回数データ部に保存された登録指紋の照合成功回数、照合順番を更新し、登録指紋に対する指紋データの照合成功回数、照合順番を更新する動作制御部とを備えることを特徴とする個人認証用の指紋認証システムを提供する。
【００１４】
さらに、前記指紋登録データ部に登録指紋に対する指紋データが追加登録される場合、前記照合成功回数データ部に追加登録される登録指紋と同様に、既に登録されている登録指紋の照合成功回数をリセットして「０」に、既に登録されている登録指紋の照合順番について最初の認証時には変更しないで、追加登録の登録指紋の照合順番は既に登録されている登録指紋の最後又は最初にする。
【００１５】
さらに、本発明は、個人認証用の指紋認証方法において、複数の指の各々の登録指紋として複数の指紋データを検出する工程と、検出された複数の指の各々の登録指紋として複数の指紋データを登録する工程と、検出された指紋データと登録された指紋データとの比較・照合を行う工程と、複数の指の各々の登録指紋について照合成功回数、照合成功回数の多い順番に認証を行う照合順番を保存し、さらに、各登録指紋に対する複数の指紋データについて照合成功回数と、照合成功回数の多い順番に認証を行う照合順番を保存する工程と、検出された指紋データと、登録指紋の照合順番と、登録指紋に対する指紋データの照合順番に基づき取り出した指紋データを認証し、一致した場合には、保存された登録指紋の照合成功回数、照合順番を更新し、登録指紋に対する指紋データの照合成功回数、照合順番を更新する工程とを備えることを特徴とする個人認証用の指紋認証方法を提供する。
【００１６】
さらに、本発明は、個人認証用の指紋認証を実行するプログラムにおいて、複数の指の各々の登録指紋として複数の指紋データを検出する手順と、検出された複数の指の各々の登録指紋として複数の指紋データを登録する手順と、検出された指紋データと登録された指紋データとの比較・照合を行う手順と、複数の指の各々の登録指紋について照合成功回数、照合成功回数の多い順番に認証を行う照合順番を保存し、さらに、各登録指紋に対する複数の指紋データについて照合成功回数と、照合成功回数の多い順番に認証を行う照合順番を保存する手順と、検出された指紋データと、登録指紋の照合順番と、登録指紋に対する指紋データの照合順番に基づき取り出した指紋データを認証し、一致した場合には、保存された登録指紋の照合成功回数、照合順番を更新し、登録指紋に対する指紋データの照合成功回数、照合順番を更新する手順とを備えることを特徴とする、個人認証用の指紋認証を実行するプログラムを提供する。
【００１７】
さらに、本発明は、個人認証用のバイオメトリクス認証システムにおいて、声紋、顔、アイリス（虹彩）、静脈を含むバイオメトリクスデータを検出する読取り部と、前記読取り部により複数の声紋、顔、アイリス（虹彩）、静脈の各々の登録バイオメトリクス複数のバイオメトリクスデータを検出して登録するバイオメトリクス登録データ部と、前記読取り部により検出されたバイオメトリクスデータと前記バイオメトリクス登録データ部に登録されたバイオメトリクスデータとの比較・照合を行うバイオメトリクス照合部と、複数の声紋、顔、アイリス（虹彩）、静脈の各々の登録バイオメトリクスについて照合成功回数、照合成功回数の多い順番に認証を行う照合順番を保存し、さらに、各登録バイオメトリクスに対する複数のバイオメトリクスデータについて照合成功回数と、照合成功回数の多い順番に認証を行う照合順番を保存する照合成功回数データ部と、前記読取り部により検出されたバイオメトリクスデータと、前記照合成功回数データ部から登録指紋の照合順番と、登録バイオメトリクスに対するバイオメトリクスデータの照合順番に基づき前記バイオメトリクス登録データ部から取り出したバイオメトリクスデータを認証し、一致した場合には、前記照合成功回数データ部に保存された登録バイオメトリクスの照合成功回数、照合順番を更新し、登録バイオメトリクスに対するバイオメトリクスデータの照合成功回数、照合順番を更新する動作制御部とを備えることを特徴とする個人認証用のバイオメトリクス認証システムを提供する。
【００１８】
さらに、本発明は、個人認証用の指紋認証を行う携帯電話端末において、置かれた指の指紋データを検出する指紋読取り部と、前記指紋読取り部により複数の指の各々の登録指紋として複数の指紋データを検出して登録する指紋登録データ部と、前記指紋読取り部により検出された指紋データと前記指紋登録データ部に登録された指紋データとの比較・照合を行う指紋照合部と、複数の指の各々の登録指紋について照合成功回数、照合成功回数の多い順番に認証を行う照合順番を保存し、さらに、各登録指紋に対する複数の指紋データについて照合成功回数と、照合成功回数の多い順番に認証を行う照合順番を保存する照合成功回数データ部と、前記指紋読取り部により検出された指紋データと、前記照合成功回数データ部から登録指紋の照合順番と、登録指紋に対する指紋データの照合順番に基づき前記指紋登録データ部から取り出した指紋データを認証し、一致した場合には、前記照合成功回数データ部に保存された登録指紋の照合成功回数、照合順番を更新し、登録指紋に対する指紋データの照合成功回数、照合順番を更新する動作制御部とを備えることを特徴とする携帯電話端末を提供する。
【発明の効果】
【００１９】
以上説明したように、本発明によれば、複数の指の各々の登録指紋として複数の指紋データを検出し、検出された複数の指の各々の登録指紋として複数の指紋データを登録し、検出された指紋データと登録された指紋データとの比較・照合を行い、複数の指の各々の登録指紋について照合成功回数、照合成功回数の多い順番に認証を行う照合順番を保存し、さらに、各登録指紋に対する複数の指紋データについて照合成功回数と、照合成功回数の多い順番に認証を行う照合順番を保存し、検出された指紋データと、登録指紋の照合順番と、登録指紋に対する指紋データの照合順番に基づき取り出した指紋データを認証し、一致した場合には、保存された登録指紋の照合成功回数、照合順番を更新し、登録指紋に対する指紋データの照合成功回数、照合順番を更新するようにしたので、各登録指紋では照合される頻度により偏りが出てくるので、各指紋の照合頻度に応じて、登録指紋との照合をする順番を変更することにより、照合時間の短縮化が可能となり、すなわち、過去に照合された各登録指紋の照合成功の頻度を保存し、その回数が多い順番に登録指紋と入力指紋を照合していくことにより、効率的に早く照合成功が可能となり、認証の時間短縮が可能になる。
【発明を実施するための最良の形態】
【００２０】
以下、本発明の実施の形態について図面を参照して説明する。
図１は本発明に係る指紋認証システムの概略構成を示すブロック図である。本図に示すように、指紋認証システム１００は、指紋認証モジュール部１１５、動作制御部１１３、表示部１１６とからなり、プログラムで実行する。
動作制御部１１３は指紋認証モジュール部１１５を制御し、表示部１１６に指紋認証の情報を表示させる。
【００２１】
動作制御部１１３は指紋読取り部１１０、指紋照合部１１１、指紋登録データ部１１２、照合成功回数データ部１１４とならなる。
指紋読取り部１１０は置かれた指の指紋データを検出する指紋センサーである。
指紋登録データ部１１２は指紋読取り部１１０により指毎の登録指紋として検出された複数の指紋データを登録する。
【００２２】
指紋照合部１１１は指紋読取り部１１０により検出された指紋データと指紋登録データ部に登録された指紋データとの比較・照合を行う。
照合成功回数データ部１１４は、指紋照合部１１１により過去に照合された登録指紋の照合成功回数を保存する。
図２は図１における指紋読取り部１１０を説明する図である。本図に示すように、指紋認証技術では、指１２２の隆起している部分の隆線部１２０、窪んでいる部分の谷部１２１のパターン、特徴に対して、ピッチが５０〜１００ミクロンピッチで配列した微少なセンサーの画素のセル１０３からなり、指１２２の凹凸部分を指紋として検出する。
【００２３】
この指紋センサー１１０の検出方法として、各種あるが、主に静電容量方式、光学方式等が挙げられる。例えば、静電容量方式は、図２に示すように、基板としてＳｉの半導体素子を用いており、指表面と基板との距離及び接触表面積による容量を各セル１０３が検知した指紋の凹凸から指紋パターンが得られる。
図３は図１における指紋登録データ部１１２に登録される指紋データの例を説明する図である。本図に示すように、指紋登録データ部１１２には両手の指の指紋が指紋読取り部１１０により検出され、以下のように登録される。
【００２４】
指紋登録データ部１１２には、登録指紋ｍ（ｍ＝１〜１０）に対して指紋データｍｎ（ｍ＝１〜１０，ｎ＝１〜５）が以下のように保存される。
登録指紋１に対して、指紋データ１１、指紋データ１２、指紋データ１３、指紋データ１４、指紋データ１５が登録され、
登録指紋２に対して、指紋データ２１、指紋データ２２、指紋データ２３、指紋データ２４、指紋データ２５が登録され、
【００２５】
登録指紋３に対して、指紋データ３１、指紋データ３２、指紋データ３３、指紋データ３４、指紋データ３５が登録され、
…
登録指紋１０に対して、指紋データ１０１、指紋データ１０２、指紋データ１０３、指紋データ１０４、指紋データ１０５が登録される。
【００２６】
図４は図１における照合成功回数データ部１１４に保存される登録指紋の成功回数、登録指紋の照合順番の例を示す図である。
本図に示すように、照合成功回数データ部１１４には登録指紋１、２、３、４、…、１０に対して過去の照合成功回数として１１回、１５回、１２回、１０回、…、８回が保存され、さらに、過去の照合成功回数が多い順番に登録指紋の照合順番ｋ（ｋ＝１〜ｍ）が決定され、登録指紋１が照合順番（ｋ）＝３番目、登録指紋２が照合順番（ｋ）＝１番目、登録指紋３が照合順番（ｋ）＝２番目、登録指紋４が照合順番（ｋ）＝４番目、…、登録指紋１０が照合順番（ｋ）＝５番目として保存される。
【００２７】
動作制御部１１３は、指紋照合部１１１に対して、検出した指紋の照合を行う場合には、照合成功回数データ部１１４の照合順番にしたがって指紋登録データ部１１２から登録指紋の指紋データを取り出し照合を行わせる。
照合成功回数データ部１１４において、登録指紋の照合順番の初期値は指紋登録データ部１１２に登録されている登録指紋１、２、３、４、…１０の順番に照合を行う。
【００２８】
図５は図１における照合成功回数データ部１１４に保存される登録指紋の複数の指紋データの照合成功回数、指紋データの照合順番の例を示す図である。
本図に示すように、照合成功回数データ部１１４には、一例として、登録指紋１に対する指紋データ１１、１２、１３、１４、１５に対する照合成功回数、照合順番ｉを保存する。
【００２９】
同様に、登録指紋２に対する指紋データ２１、２２、２３、２４、２５に対する照合成功回数、照合順番ｉを保存し、登録指紋３に対する指紋データ３１、３２、３３、３４、３５に対する照合成功回数、照合順番ｉを保存し、…、登録指紋１０に対する指紋データ１０１、１０２、１０３、１０４、１０５（図示しない）に対する照合成功回数、照合順番ｉを保存する。
【００３０】
なお、複数の指紋データに対して同一の照合成功回数の場合には、指紋登録データ部１１２への指紋データの登録順番による。
これにより、過去に照合された各登録指紋について複数の指紋データの照合成功の頻度を保存し、その回数が多い順番に登録指紋と入力指紋を照合していくことにより、さらに、効率的に早く照合成功が可能となる。
【００３１】
図６は図１における動作制御部１１３の一連の制御動作例を説明するフローチャートである。本図に示すように、
ステップ２０１において、動作制御部１１３では、指紋読取り部１１０に対して登録指紋データの採取を行い、指紋登録データ部１１２に保存させる。保存させない場合にはステップ２０２に進み、保存させた場合にはステップ２１０に進む。
【００３２】
ステップ２０２において、ｍ＝１に設定する。
ステップ２０３において、ｎ＝１に設定する。
ステップ２０４において、動作制御部１１３では、指紋読取り部１１０に指紋を検出させる。
ステップ２０５において、動作制御部１１３では、指紋登録データ部１１２に登録指紋１の指紋データ１１として検出された指紋を保存する。
【００３３】
ステップ２０６において、ｎ＝１成立の判断を行い、成立しない場合にはステップ２０７に進み、成立する場合にはステップ２０８に進む。
ステップ２０７において、ｎ＝ｎ＋１としてステップ２０４に戻り上記手順を繰り返す。
ステップ２０８において、ｍ＝１０成立の判断を行い、成立しない場合にはステップ２０９に進み、成立する場合には登録指紋の保存終了として、処理を終了する。
【００３４】
ステップ２０９において、ｍ＝ｍ＋１としてステップ２０３に進み、上記手順を切り返す。
ステップ２１０において、指紋読取り部１１０で指紋が検出される。
ステップ２１１において、動作制御部１１３では、指紋の検出に対して、照合順番ｋ＝１に設定する。
【００３５】
ステップ２１２において、ｎ＝１に設定する。
ステップ２１３において、動作制御部１１３では、指紋照合部１１１に対して、検出された指紋データと、照合成功回数データ部１１４における照合順番ｋに対する登録指紋に対して指紋登録データ部１１２に登録された登録指紋の指紋データを照合させる。
ステップ２１４において、動作制御部１１３では、照合一致があったかを判断する。不一致の場合にはステップ２１５に進み、一致の場合にはステップ２１９に進む。
【００３６】
ステップ２１５において、ｎ＝５成立を判断し、成立の場合にはステップ２１７に進み、不成立の場合にはステップ２１６に進む。
ステップ２１６において、ｎ＝ｎ＋１としてステップ２１３に進み上記手順を繰り返す。
ステップ２１７において、照合順番ｋ＝１０の成立を判断し、成立の場合には処理を終了する。この場合には指紋を登録していないユーザ以外のものが指紋認証しようとしたと判断する。
【００３７】
ステップ２１８において、ｋ＝ｋ＋１としてステップ２１２に進み上記手順を繰り返す。
ステップ２１９において、動作制御部１１３では、指紋認証の成功と判断し、照合成功回数データ部１１４に対して登録指紋の照合成功回数を更新し、登録指紋の指紋データの照合成功回数を更新し、登録する。
【００３８】
ステップ２２０において、動作制御部１１３では、照合成功回数データ部１１４に対して、登録指紋の照合順番を変更し、登録指紋の指紋データの照合順番を変更し、登録し、処理を終了する。
したがって、換言すれば、指紋登録データ部１１２に１０本の指紋が登録された場合（図４参照）、登録指紋１，登録指紋２，登録指紋３、登録指紋４、…、登録指紋１０の過去の照合成功回数が、仮に１１回、１５回、１２回、１０回、…、８回とするならば、照合順番は、登録指紋２、登録指紋３、登録指紋１、登録指紋４、登録指紋１０、…というように照合成功回数が多い順番に認証を行っていく。ここで、仮に登録指紋３が認証され、照合が成功した場合は照合成功回数が１２回から１３回となり、今回の照合では次回の照合順番はかわらないが、変更した照合成功回数は、次回の照合順番に反映される。
【００３９】
さらに、登録指紋１に対して指紋データ１１、指紋データ１２、指紋データ１３、指紋データ１４、指紋データ１５の過去の照合成功回数が、仮に３回、２回、１回、４回、１回とするならば、照合順番は、指紋データ１４、指紋データ１１、指紋データ１２、指紋データ１３、指紋データ１５というように照合成功回数が多い順番に認証を行っていく。ここで、仮に指紋データ１３が４回から５回となり、今回の照合では次回の照合順番はかわらないが、変更した照合成功回数は、次回の照合順番に反映される。
【００４０】
以下同様に、登録指紋２、登録指紋３、…、登録指紋１０の各々の指紋データ２１、指紋データ２２、指紋データ２３、指紋データ２４、指紋データ２５、指紋データ３１、指紋データ３２、指紋データ３３、指紋データ３４、指紋データ３５、…指紋データ１０１、指紋データ１０２、指紋データ１０３、指紋データ１０４、指紋データ１０５について、過去の照合成功回数に基づく照合順番にしたがって認証が行われ、照合成功回数、照合順番の変更が行われる。
【００４１】
なお、同じ照合順番の場合には、経歴から登録の古い登録指紋、指紋データを優先する。
したがって、本発明によれば、各登録指紋では照合される頻度により偏りが出てくるので、各指紋の照合頻度に応じて、登録指紋との照合をする順番を変更することにより、照合時間の短縮化が可能となり、すなわち、過去に照合された各登録指紋の照合成功の頻度を保存し、その回数が多い順番に登録指紋と入力指紋を照合していくことにより、効率的に早く照合成功が可能となり、認証の時間短縮が可能になる。
【００４２】
以上の例で１０本の指に対して説明したが、１０本よりも少ない指に対しては、すでに複数の登録されている指紋に、さらに新たに指紋が登録された場合、登録指紋の過去の照合成功の頻度がそのままであると、新たに登録された指紋の初期の頻度は少ないため、新規の登録指紋が頻繁に使われる場合でも照合時間が短縮化されないという課題がある。この課題を解消するために以下に説明を行う。
【実施例１】
【００４３】
図７は図３の変形例であり、指紋登録データ部１１２に登録される指紋データの追加の例を説明する図である。
本図（ａ）に示すように、指紋登録データ部１１２には登録指紋１、２、３、４の各々に対して指紋データが登録されている場合に、本図（ｂ）に示すように、指紋登録データ部１１２には登録指紋１、２、３、４、５の各々に対して指紋データが登録され、登録指紋５の指紋データが追加される。
【００４４】
図８は図４の変形例であり、新しい指紋が有った場合に照合成功回数データ部１１４に保存される登録指紋の成功回数、登録指紋の照合順番の例を示す図である。
本図（ａ）に示すように、照合成功回数データ部１１４に登録指紋の成功回数、登録指紋の照合順番が保存されている場合に、新しい登録指紋５が指紋登録データ部１１２に追加的に登録された場合には、照合成功回数データ部１１４では、新しい登録指紋５の照合成功回数「０」に設定されるが、他の登録指紋１〜４の照合成功回数の全てをリセットし「０」にもどす設定を行う。
【００４５】
ただし、上記リセット後の最初の照合番号ｋは、登録指紋１〜４について過去の照合成功回数のままとし、新しい登録指紋５の照合番号は最後の照合順番とし、過去の頻度の順番で照合を行う。次の照合番号ｋは照合成功回数に基づき設定される。
なお、上記リセット後の最初の照合番号ｋについて新しい登録指紋５の照合番号は最初の照合順番としてもよい。登録指紋５の照合成功回数が他の登録指紋１〜４よりも高いと予想できる場合があるためである。
これにより、新しい登録指紋５が頻繁に使われる場合には照合時間が短縮可能になる。
【実施例２】
【００４６】
指紋認証システム１００は携帯電話端末に設けるようにしてもよい。
【実施例３】
【００４７】
図９は図５の変形例であり、照合成功回数データ部１１４に保存される登録バイオメトリクスの複数のバイオメトリクスデータの照合成功回数、指紋データの照合順番の例を示す図である。
本図に示すように、本発明は、個人を認証する声紋、顔、アイリス（虹彩）、静脈を含む生体固有の特徴を利用したバイオメトリクス認証システムにも適用可能である。
【産業上の利用可能性】
【００４８】
本発明はパーソナルコンピュータ、デスク型パーソナルコンピュータ、入退出のセキュリティにも適用可能である。
【図面の簡単な説明】
【００４９】
【図１】本発明に係る指紋認証システムの概略構成を示すブロック図である。
【図２】図１における指紋読取り部１１０を説明する図である。
【図３】図１における指紋登録データ部１１２に登録される指紋データの例を説明する図である。
【図４】図１における照合成功回数データ部１１４に保存される登録指紋の成功回数、登録指紋の照合順番の例を示す図である。
【図５】図４の変形例であり、新しい指紋が有った場合に照合成功回数データ部１１４に保存される登録指紋の成功回数、登録指紋の照合順番の例を示す図である。
【図６】図１における動作制御部１１３の一連の制御動作例を説明するフローチャートである。
【図７】図３の変形例であり、指紋登録データ部１１２に登録される指紋データの追加の例を説明する図である。
【図８】図４の変形例であり、照合成功回数データ部１１４に保存される登録指紋の複数の指紋データの照合成功回数、指紋データの照合順番の例を示す図である。
【図９】図５の変形例であり、照合成功回数データ部１１４に保存される登録バイオメトリクスの複数のバイオメトリクスデータの照合成功回数、指紋データの照合順番の例を示す図である。
【図１０】従来の、照合時の指紋と複数の登録指紋データとの具体的な照合手順を説明する図である。
【符号の説明】
【００５０】
１００…指紋認証システム
１０３…セル
１２０…隆線部
１２１…谷部
１２２…指
１１０…指紋読取り部
１１１…指紋照合部
１１２…指紋登録データ部
１１３…動作制御部
１１４…照合成功回数データ部
１１５…指紋認証モジュール部
１１６…表示部
【図１】
2008242954.tif 000003
【図２】
2008242954.tif 000004
【図３】
2008242954.tif 000005
【図４】
2008242954.tif 000006
【図５】
2008242954.tif 000007
【図６】
2008242954.tif 000008
【図７】
2008242954.tif 000009
【図８】
2008242954.tif 000010
【図９】
2008242954.tif 000011
【図１０】
2008242954.tif 000012